(57)【要約】      （修正有）【課題】棚やキャビネットにそのまま飾っても違和感がなく、しかも子供の興味を惹く自動車型護符を提供する。【解決手段】車台の平面形状に切り出した木板の表面に神仏の名、願い事、像などの護符表示を施した護符体と、車軸３、車輪４、それに厚紙を折り曲げて得られる天板１１と側板１２、１２からなるボディ１０からなり、組み立てにあたってはボディの下端内側に護符体を巻き込んで貼着・固定して自動車型護符とする。【選択図】図１
0003162707.tif 000002
【実用新案登録請求の範囲】
【請求項１】
下記の部材の組み合わせからなり、厚紙を折り曲げて得られるボディの下端内側に護符体を巻き込んで貼着・固定したことを特徴とする自動車型護符。
(1) 車台の平面形状に切り出した木板の表面に神仏の名、願い事、像などの護符表示を施した護符体。
(2) 前記護符体に取り付けられる車軸。
(3) 前記護符体に取り付けられる車輪。
(4) 厚紙を折り曲げて得られる天板と側板からなるボディ。
【考案の詳細な説明】
【技術分野】
【０００１】
この考案は神仏の加護を願うための護符に関し、特に交通安全の加護を願うための護符に関する。
【背景技術】
【０００２】
木板や紙片の表面に神仏の名、願い事、像などの護符表示を施すことにより神仏の加護を願う護符がいわゆる「お札」として公知である。
【０００３】
前記の護符は常に身につけたり、住居内や車内などの日常の生活空間に置かないと効果がないとされており、お守り袋に収容して携帯したり、壁や車体に張り付けたりして使用に供されていた。
【０００４】
また、護符をより身近なものにするために、額縁状にしたり、表札状にするなどの取り付け手段を工夫したり（特許文献１、２）、あるいは他の日用品と合体させる工夫（特許文献３）も提案されている。
【先行技術文献】
【特許文献】
【０００５】
【特許文献１】実用新案登録第３０６８１５４号公報
【特許文献２】実用新案登録第３００６９３７号公報
【特許文献３】実用新案登録第３０５９３８７号公報
【考案の概要】
【考案が解決しようとする課題】
【０００６】
前記の従来技術のように護符の取り付け手段を多様化することは有用である。しかしながら、護符自体のデザインは現代のインテリアには本来的にはそぐわないことから、信仰心が薄い者はインテリアを優先する結果、護符を日常の生活空間に置くことを敬遠する傾向があった。
【０００７】
一方、護符を他の日用品と合体させた場合はインテリを損なわずに護符を日常の生活空間に置くことが可能になる。しかしながら、日用品自体はプラスチックや金属から構成されていることが多い。この場合、一定期間を経過したものは神社で御焚き上げをして焼却する護符の場合、プラスチックや金属が混ざっているとそのままでは御焚き上げできないという問題が生じた。
【課題を解決するための手段】
【０００８】
この考案の自動車型護符は以上の従来技術の問題点に鑑みて創作されたものであり、下記の部材の組み合わせからなり、厚紙を折り曲げて得られるボディの下端内側に護符体を巻き込んで貼着・固定したことを特徴とする。
(1) 車台の平面形状に切り出した木板の表面に神仏の名、願い事、像などの護符表示を施した護符体。
(2) 前記護符体に取り付けられる車軸。
(3) 前記護符体に取り付けられる車輪。
(4) 厚紙を折り曲げて得られる天板と側板からなるボディ。
【考案の効果】
【０００９】
以上の構成よりなるこの考案の自動車型護符は次の特有の効果を奏する。
(1) 木製の護符体を車台として利用して、その上に厚紙製のボディを載せて自動車おもちゃを象ったので、交通安全の加護を願うための護符として相応しい。しかも、棚やキャビネットにそのまま飾っても違和感がないのでインテリアを損なうことがなく、置き場所の問題から今まで護符に消極的だった層も取り込むことが期待できる。
(2) 木製の護符体をそのまま自動車おもちゃの車台として利用するので、護符体の本質を変更することなく自動車おもちゃに溶け込み、日用品に接ぎ木したような従来の護符とは一線を画する。
(3) 木製の護符体をそのまま自動車おもちゃの車台として利用し、木製の車輪、車軸、厚紙製のボディと組み合わせて自動車型護符とするので可燃物として焼却可能であり、御焚き上げに馴染む。
(4) 車台を構成する木製の護符体によりそれなりの自重となり、重力の作用によりスロープを下るソープボックスカー式の自動車おもちゃとして実走可能なので、単に置くだけでなく子供が自動車おもちゃとして遊ぶことができ、子供にとって護符を身近なものとすることができる。
【図面の簡単な説明】
【００１０】
【図１】この考案の自動車型護符の組み立て課程を示す斜視図。
【図２】この考案の自動車型護符の車台箇所の部品の斜視図。
【図３】この考案の自動車型護符のボディ部分の展開図。
【図４】この考案の自動車型護符のボディ部分の組み立て課程を示す斜視図。
【図５】この考案の自動車型護符の車台箇所の組み立て課程を示す斜視図。
【図６】この考案の自動車型護符の裏面から観察した状態の斜視図。
【図７】この考案の自動車型護符の斜視図。
【図８】この考案の自動車型護符の車台箇所の異なる実施例の組み立て課程を示す斜視図。
【考案を実施するための形態】
【００１１】
以下、この考案の自動車型護符の実施例を添付図面に基づいて説明する。この実施例においては自動車型護符を組み立てキットとして構成している。この実施例における自動車型護符は護符体（車台）、車輪、車軸などの車台箇所を構成する部品と、ボディを構成する部品とから構成される。図２は前記のうち、車台箇所１を構成する部品を示す図である。図中符号２は護符体（車台）である。この護符体２は車台の平面形状に切り出した木板により構成され、一面に神仏の名、願い事、像などの護符表示Ｇが施される。図中符号４は車輪、同じく３は車軸、同じく５は車輪を車軸に対し回転自在に外嵌するための止め輪、同じく６は車軸を車台に固定するための押さえ部材である。以上の部品は木材により構成される。
【００１２】
図３はボディ１０を構成する部品を示す図である。この考案においてはボディ１０は厚紙からなるブランクを折り曲げて得られるものであり、このブランクは切り取るための輪郭が付された台紙Ｓとして用意される。図中符号１１は折り曲げた際にボディ１０の天板となる箇所、同じく１２、１２は側板となる箇所を指す。また、図中符号１２Ａ、１２Ｂは折り曲げた際に側板１２、１２同士を貼着により固定するために側板１２前後端に突設される貼着代、同じく１２Ｃ、１２Ｃ・１２Ｄ、１２Ｄは側板１２、１２と天板１１を貼着により固定するために側板１２上端に突設される貼着代である。
【００１３】
以上の部品からなるこの考案の自動車型護符の組み立てにあたっては、先ず台紙Ｓからそこに記された輪郭に沿ってボディ１０を構成するブランクを切り取る。そして、切り取ったブランクの天板箇所１１の短手方向両端に延設されている側板箇所１２、１２を下方に折り曲げることにより断面コ字状とする。さらに、側板箇所前後を天板箇所の外形に沿うように撓め、側板１２、１２の前後端同士を貼着代１２Ａ、１２Ｂにより貼着すると共に、側板と天板を貼着代１２Ｃ、１２Ｃ・１２Ｄ、１２Ｄにより貼着しボディ１０を得る（図４参照）。
【００１４】
一方、護符体（車台）２の上の前後に車軸３、３をＵ字状の押さえ部材６、６をもって貼着し、さらに、車軸の両端に止め輪５、５をもって車輪４を回転自在に挟持することにより車台箇所１を得る（図５参照）。
【００１５】
そして、ボディ１０の下端内側に護符体（車台）２を巻き込んで貼着・固定することにより自動車型護符を完成させる（図１、図６〜７参照）。
【００１６】
なお、車軸と護符体（車台）の固定手段は前記のものに限らず、例えば図８に示すように車台の裏面の前後に凹設した溝７、７に車軸３、３を嵌入して貼着してもよいことは勿論である。
【符号の説明】
【００１７】
１                車台箇所
２                車台
３                車軸
４                車輪
１０              ボディ
１１              天板箇所
１２              側板箇所
【図１】
0003162707.tif 000003
【図２】
0003162707.tif 000004
【図４】
0003162707.tif 000005
【図５】
0003162707.tif 000006
【図６】
0003162707.tif 000007
【図７】
0003162707.tif 000008
【図８】
0003162707.tif 000009
【図３】
0003162707.tif 000010
【手続補正書】
【提出日】平成22年7月20日(2010.7.20)
【手続補正１】
【補正対象書類名】実用新案登録請求の範囲
【補正対象項目名】全文
【補正方法】変更
【補正の内容】
【実用新案登録請求の範囲】
【請求項１】
車台の平面形状に切り出した木板の表面に神仏の名・願い事・像などの護符表示を施した護符体、前記護符体に取り付けられる車軸、前記護符体に取り付けられる車輪、厚紙を折り曲げて得られる天板と側板からなるボディの各部材の組み合わせからなり、厚紙を折り曲げて得られるボディの下端内側に護符体を巻き込んで貼着・固定したことを特徴とする自動車型護符。
【手続補正２】
【補正対象書類名】図面
【補正対象項目名】図２
【補正方法】変更
【補正の内容】
【図２】
0003162707.tif 000011
【手続補正３】
【補正対象書類名】図面
【補正対象項目名】図６
【補正方法】変更
【補正の内容】
【図６】
0003162707.tif 000012